(57)【要約】【課題】外形寸法を小さくすることによって収納を容易にするとともに、手軽に使用可能にする。【解決手段】本発明は、一本の箒（２）と一個の塵取り（３）とから成る折畳み式清掃装置（１）に関しており、前記箒（２）は、下面に毛（８）を備えそして上面で柄（６）の下端と合体するブラシから成り、前記塵取り（３）は、一方では、その縁（１０）のうちの少なくとも一つの上に、上面に突出した壁（１１）を備える板（９）から成り、また他方では、前記壁（１１）のところで合体する把持手段（１２）から成り、前記ブラシ（５）は、前記柄（６）に沿って伸びている畳み込まれた状態から、前記柄に対して垂直に伸びている広げた状態に移行するように、またその逆になるように、連結されることを特徴とする。【選択図】図４
2014523308.tif 000002
【特許請求の範囲】
【請求項１】
一本の箒（２）と一個の塵取り（３）とから成る折畳み式清掃装置（１）であって、前記箒（２）は、下面に毛（８）を備えそして上面で柄（６）の下端と合体するブラシ（５）から成り、前記塵取り（３）は、一方では、その縁（１０）のうちの少なくとも一つの上に、上面に突出した壁（１１）を備える板（９）から成り、また他方では、前記壁（１１）のところで合体する把持手段（１２）から成り、前記ブラシ（５）が、前記柄（６）に沿って伸びている畳み込まれた状態から、前記柄（６）に対して垂直に伸びている広げた状態に移行するように、またその逆になるように、連結されることを特徴とする、折畳み式清掃装置。
【請求項２】
前記柄（６）が、入れ子状態から伸ばした状態に移行するように、またその逆となるように伸縮式であり、前記把持手段（１２）が、中空の状態に用意され、入れ子状態の前記伸縮式の柄（６）の収容用の空間を構成することを特徴とする、請求項１に記載の折畳み式清掃装置（１）。
【請求項３】
前記柄（６）が、互いに対してスライド式に組み立てられる円筒形の形をした断片部材（６０）から成ること、また前記把持手段（１２）が、前記柄（６）のより大きい直径の断片部材の外側断面に相当するまたはそれより大きい内側断面の管（１３）の形を呈することを特徴とする、請求項２に記載の折畳み式清掃装置（１）。
【請求項４】
各断片部材が管状の形を呈すること、またスライド式に組み立てられる第一の断片部材（６１）と第二の断片部材（６２）については、より大きな直径の前記第一の断片部材（６１）が、前記第二の断片部材（６２）にストッパとなるように取り付けられる押ボタン（６４）を収容するように形成される穴（６３）を含むことを特徴とする、請求項３に記載の折畳み式清掃装置（１）。
【請求項５】
スライド式に組み立てられる第一の断片部材（６１）と第二の断片部材（６２）について、より大きな直径の前記第一の断片部材（６１）が、その内側表面に、前記第二の断片部材（６２）の外側面に設けられる突起または凹部（６５）と相互に協働するように補完的に形成される凹部または突起（６５）の形をしたガイド手段を含むことを特徴とする、請求項３に記載の清掃装置（１）。
【請求項６】
前記塵取り（３）が、その縁のうちの三つの上に、内側スペースを画定する上面に突出した側面壁（１１）を含み、前記内側スペースが、畳み込まれた状態の前記ブラシ（５）を収容するように寸法が決められることを特徴とする、請求項１に記載の折畳み式清掃装置（１）。
【請求項７】
前記ブラシ（５）が、二つの側面翼（５０）から成り、該二つの側面翼が、連結されて、前記柄（６）の下端のところで四分円を描くように回転可能に取り付けられるものであることを特徴とする、請求項６に記載の折畳み式清掃装置（１）。
【請求項８】
中空の平行六面体の収納箱（４）の形をした保管手段を含み、該中空の平行六面体の納箱が、その面の少なくとも一つのところに開口部（４０）を備え、挿入される前記塵取り（３）を内部で収容するように寸法が決められる空間を構成していることを特徴とする、請求項１に記載の折畳み式清掃装置（１）。
【発明の詳細な説明】
【技術分野】
【０００１】
本発明は、メンテナンス、清掃、および家事の分野に関するものである。
【０００２】
本発明は、とりわけ、箒と塵取りとから成る折畳み式清掃装置に関している。
【背景技術】
【０００３】
既知の方法では、例えば床のような表面の清掃は、前記表面上にある塵かすや他の物質を寄せ集めるために、箒および塵取りを必要とする。そのような箒は、柄と合体するブラシを有しており、該柄は、把持手段の役目を果たすものであり、また、掃くこと、次いで前記塵取りの中へ前記塵および同様の物質を押しやり寄せ集めることのための操作を可能にするものである。
【０００４】
より正確には、前記ブラシは細長い形を呈しており、下面に柔らかいまたは半硬質の材料の毛を収容し、また上面の中心のところで前記柄の下端に固定されて、逆Ｔ字の一般的な形を前記箒に与えている。
【０００５】
主な不都合は、箒のＴ字形と組み合わされた、一メートル以上という前記柄の長さにあり、その収納のための専用のスペース、一般的にはクローゼットが必要とされる外形寸法を呈している。
【０００６】
さらに塵取りは、長方形または正方形の平行六面体の板の形状を呈しており、該板は底部を形成し、またその辺のうちの三辺の上に上面に突出した壁が載っており、塵および同様の物質の収容スペースを画定している。前部では、壁のない面により、寄せ集める際に前記スペースの中に塵を入れることが可能となる。さらに、後部の壁のところには、前記後部の壁および前記板と合体する把持手段が用意される。
【０００７】
小さめのそのような塵取りはたいてい、床に直接かまたは最良なケースでは収納家具の内部に吊るされて、箒と同じ場所に片付けられるが、多くの場合それを探す際に時間のロスが生じる。そのため、これら二つの要素を分離させないために、前記塵取りを、クローゼットの内部かまたは直接箒に、とりわけ箒の柄にクリップ留めによって吊るすことが考えられたのである。
【０００８】
箒の柄へ塵取りを取外し可能に固定する例は、仏国特許発明第２７６０９６１号明細書に詳しく記載されている。
【０００９】
しかしながら、その塵取りが固定される箒の柄の外形寸法は、相変わらず問題を抱えたままである。
【００１０】
塵取りと箒のセットの別の例が、米国特許第３４５０９６号明細書に記載されており、該例は、下端にブラシの毛が直接固定された、ただ一本の管の形の柄から成る。塵取りは中空の管状の柄を有しており、前記柄をその上端から挿入すること、そして下の方のブラシのところで、止め状態になるまで前記塵取りをスライドさせることが可能となる。
【００１１】
現状では、箒で掃く際、前記箒を取り扱う人は立った状態をとり、柄の長さを利用して前記塵および同様の物質を集める。一旦堆積の形にまとめられると、これらの塵および同様の物質は塵取りの中に押しやられることとなり、箒を取り扱う人は通常しゃがんで姿勢を低くする必要が生じ、その際、箒をブラシおよび柄の低部のところで取り扱うようになる。この取扱いは、低部の手を掛けるところを中心にして柄が傾斜するという理由で、煩雑である。こうして大抵の場合、箒を取り扱う人は寄せ集める際、塵および同様の物質を塵取りの中に押しやるためにハンドブラシを利用する。
【００１２】
この不都合を克服するために、伸ばした状態から入れ子状態に移行させるため、またその逆にするために想定された、伸縮式の柄が考え出された。そのような伸縮式の柄の例は、米国特許第５６６１８６８号明細書に記載されている。ブラシは、さまざまな直径の管状スリーブの形をした複数の断片部材から成る柄の下端に取り付けられる。とりわけ下方のスリーブは、隣接する上方のスリーブの内側断面よりも小さい直径を呈する。したがってそれぞれの下方のスリーブは、それに隣り合う上方のスリーブの中を上方のスリーブに沿ってスライドするようになる。
【００１３】
さらにこの文献には、内部に前記箒を折り畳んだ状態で位置づけることができる塵取りが記載されており、前記塵取りの柄は半円筒の形を呈しており、また塵取りの内部は平行六面体の形をしており、前記箒のまっすぐなブラシの収容スペースとなっている。
【発明の概要】
【発明が解決しようとする課題】
【００１４】
本発明は、外形寸法を小さくすることによって収納を容易にし、同時に手軽に使用できることが望まれる、一本の箒と一個の塵取りとから成る折畳み式清掃装置を提案することによって、現状の技術の不都合を克服することを目的としている。
【課題を解決するための手段】
【００１５】
そうするために、そのような装置は、その保管のための折り畳まれた状態からそれを使用するための広げた状態に移行するように、またその逆になるように、連結されて用意される。その一方で特に、ブラシは畳み込まれた状態から移行するように、折畳み式に用意される。
【００１６】
このように本発明による折畳み式清掃装置は、一本の箒と一個の塵取りとから成るが、前記箒は、下面に毛を備えそして上面で柄の下端と合体するブラシから成り、前記塵取りは、一方では、その縁のうちの少なくとも一つの上に、上面に突出した壁を備える板から成り、また他方では、前記壁のところで合体する把持手段から成る。
【００１７】
有利には該折畳み式清掃装置は、前記ブラシが前記柄に沿って伸びている畳み込まれた状態から、前記柄に対して垂直に伸びている広げた状態に移行するように、またその逆になるように、連結されることを特徴とする。
【００１８】
さらに、箒の柄は入れこまれてその高さを小さくすることができるように伸縮式に用意され、一方塵取りは、折り畳まれた状態の前記箒とその柄の収納用の空間を構成する。本発明の補足的利点は、柄の入れこみにあるが、これによりそのとき箒はハンドブラシに変わり、塵取りの中へ塵および同様の物質を寄せ集める作業を容易にする。
【００１９】
このように前記柄は、入れ子状態から伸ばした状態に移行するように、またその逆となるように伸縮式であることができ、前記把持手段は、中空の状態に用意され、入れ子状態の前記伸縮式の柄の収容用の空間を構成する。
【００２０】
他の特徴によると、前記柄は、互いに対してスライド式に組み立てられる円筒形の形をした断片部材から成ることができ、また前記把持手段は、前記柄のより大きい直径の断片部材の外側断面に相当するまたはそれより大きい内側断面の管の形を呈する。
【００２１】
特定の実施態様によると、各断片部材は管状の形を呈することができ、またスライド式に組み立てられる第一の断片部材と第二の断片部材については、より大きな直径の前記第一の断片部材は、前記第二の断片部材にストッパとなるように取り付けられる押ボタンを収容するように形成される穴を含む。
【００２２】
別の実施態様によると、スライド式に組み立てられる第一の断片部材と第二の断片部材について、より大きな直径の前記第一の断片部材は、その内側表面に、前記第二の断片部材の外側面に設けられる突起または凹部と相互に協働するように補完的に形成される凹部または突起の形をしたガイド手段を含む。
【００２３】
さらに別の実施態様によると、前記塵取りはその縁のうちの三つの上に、内側スペースを画定する上面に突出した側面壁を含むことができ、前記内側スペースは、畳み込まれた状態の前記ブラシを収容するように寸法が決められる。
【００２４】
さらに別の実施態様によると、前記ブラシは二つの側面翼から成ることができ、該二つの側面翼は連結されて、前記柄の下端のところで四分円を描くように回転可能に取り付けられるものである。
【００２５】
さらに別の実施態様によると、前記装置は、中空の平行六面体の収納箱の形をした保管手段を含み、該中空の平行六面体の収納箱は、その面のうちの少なくとも一つのところに開口部を備え、挿入される前記塵取りを内部で収容するように寸法が決められる空間を構成している。
【００２６】
本発明の他の特徴および利点は、以下に続く本発明の非限定的な実施態様の詳細な説明から明らかになるであろうが、その際に以下の付属の図面が参照される。
【図面の簡単な説明】
【００２７】
【図１】好ましい実施態様の、折り畳まれていないつまり広げた直立の状態の斜視図を示している。
【図２】収納のために入れこまれてかつ畳み込まれた状態にある、図１の実施態様の斜視図を示している。
【図３】収納の途中にある段階の、そのような装置の同種の図を示している。
【図４】収納の途中にある段階の、そのような装置の同種の図を示している。
【図５】折り畳まれた状態の箒が塵取りの中にはめ込まれている様子の斜視図を示している。
【図６Ａ】広げた状態から畳み込まれた状態へのブラシの移行途中の詳細を示している。
【図６Ｂ】広げた状態から畳み込まれた状態へのブラシの移行途中の詳細を示している。
【図６Ｃ】広げた状態から畳み込まれた状態へのブラシの移行途中の詳細を示している。
【図７】入れ子状態の前記箒の断片部材の詳細の斜視図を示している。
【図８】伸ばした状態の箒の二つの断片部材を示している。
【図９Ａ】伸ばした状態にある断片部材群の、ある視点による止め手段の詳細図を示している。
【図９Ｂ】伸ばした状態にある断片部材群の、ある視点による止め手段の詳細図を示している。
【図９Ｃ】伸ばした状態にある断片部材群の、ある視点による止め手段の詳細図を示している。
【図１０Ａ】互いに対してスライドして伸ばした状態にある二つの断片部材を示している。
【図１０Ｂ】これら前記断片部材の止め手段の好ましい態様を示している。
【図１１】前記清掃装置の連結されたブラシの特定の実施態様の分解図を示している。
【発明を実施するための形態】
【００２８】
本発明は折畳み式清掃装置１に関している。とりわけ前記装置１は、その使用のために広げられ、またその保管およびその収納のために折り畳まれるように、連結されて用意される。
【００２９】
そのような装置１は、一本の箒２と一個の塵取り３とから成る。
【００３０】
さらに、図１で可視のように、前記箒２はブラシ５から成るが、該ブラシは上面で、柄６の下端と合体するものである。とりわけ、前記ブラシ５はその中心で固定手段７を介して、前記柄６に固定される。さらに前記ブラシ５は、下面に毛８を備える。該毛は、自然材料、複合材料またはプラスチック材料、さらに金属材料、好ましくは柔らかいまたは半硬質の材料といったあらゆる材料から成ることができる。
【００３１】
別の特徴によると、前記塵取り３は、一方では板９から成り、該板は、その縁１０のうちの少なくとも一つの上に、上面に突出した壁１１を備え、また他方では、前記壁１１のところで合体する把持手段１２から成る。
【００３２】
前記把持手段１２が、前記突出壁１１と、その後部外側面のところで合体可能であること、または前記板１０と直接合体可能であること、さもなければ二つと同時に合体可能であることが注目されるであろう。
【００３３】
とりわけ、好ましい実施態様によると、前記塵取り３は、長方形または正方形の平行六面体の板９から成ることができ、該板には、その周囲の縁１０のうちの三つのところで上面に三つの壁１１が載っている。残りの縁は、開口部を設けるために空いたままになっている。このように、前記塵取り３は、寄せ集めの際に塵および他のごみを中に押し入れるために一側面が開いている、上方の内側スペースを呈している。
【００３４】
有利には、前記柄６は、入れ子状態から伸ばした状態に移行するように、またその逆になるように、伸縮式となることができる。こうして、入れ子状態では、箒２はハンドブラシと類似したものになる。
【００３５】
第一の特徴によると、前記柄６は、断片部材６０から成ることができる。該断片部材はしたがって伸縮式に用意される、すなわち、該断片部材は、伸びたり縮んだりするように、互いに対して平行移動で動くように用意される。ひとたび縮むと、断片部材６０はそれぞれ中に入り合ってすべて重なり合うが、前記柄６の長さはそのとき、最も長い断片部材の長さに相当し、該最も長い断片部材は、残りの断片部材を内側にまたは外側に収容する。
【００３６】
前記断片部材６０が、円形、卵形、または多角形の、相補的な断面を有することができることが注目されるであろう。好ましい実施例によると、前記断片部材６０は、円筒形またはほぼ円筒形の形を呈する。さらに該断片部材は、中空の状態に用意されることができる。
【００３７】
図９Ｂに示される実施態様によると、前記断片部材が、円錐台状の形を呈すること、すなわち図９Ａでおおまかに示されるように、一端が、反対側のもう一端よりも大きい直径を呈することが注目されるであろう。さらに、中心の断片部材６００は、最も小さい直径で円筒形に用意されることができ、一方、残りの隣接する断片部材６０１はより大きな断面を呈し、また端の断片部材６０２はさらにより大きな断面を呈する。前記断面は、さまざまな断片部材６００、６０１、そして６０２が、それぞれの内側に挿入されまたスライドするようになることを可能にするように寸法が決められる。
【００３８】
前記柄６が、上部断片部材６０３および下部断片部材６０４を含むこともできることが注目されるであろうが、下部断片部材は、前記ブラシ５と合体することができる。
【００３９】
そのうえ、前記断片部材６０は、互いに対してスライド式に組み立てることができるだけでなく、ねじを締めたり緩めたりすることによって伸ばしたり入れこんだりできるように用意されることもできる。
【００４０】
さらに、前記断片部材６０は、前記柄６をその使用の際に縦方向に曲がらないように保つために、少なくとも伸ばした状態で動かないようにすることができる。そうするために、それぞれの断片部材６０は管状の形を呈しており、また、スライド式に組み立てられる第一の断片部材６１および第二の断片部材６２については、より大きい直径の前記第一の断片部材６１は、ストッパを構成するように前記第二の断片部材６２に取り付けられる押しボタン６４を収容するように形成される、穴６３を含む。こうして、伸ばした状態までスライドすることにより、突出した状態の方に弾力性によって復元されるように組み立てられる押しボタン６４は、相補的な断面の前記穴６３の中にはめ込まれることによって互いにかみ合い、二つの断片部材６１と６２の互いの間の平行移動を止めるようになる。この止め手段の好ましいタイプの詳細は、９Ａ、９Ｂ、９Ｃに図示される。
【００４１】
逆に、前記押しボタン６４を押すだけで、二つの断片部材６１および６２のロック解除をすることができ、再びスライドさせることが可能となる。
【００４２】
そのような理由で、前記押しボタン６４のロック解除は手で行われるか、または入れ子状態にまさに移行しようとしているその時に押されることになる、直径がより大きい別の断片部材のスライドの際に行われることができる。
【００４３】
この外形において前記ボタン６４は、前記上部断片部材の滑りおよび押しを容易にするように、スライドによる縦方向の平行移動の方向に沿って、この上部断片部材の方に傾いた上面６６を呈することができる。
【００４４】
図９Ａ、図９Ｂ、および図９Ｃで示される第一の実施態様によると、前記押しボタン６４はその断片部材の壁の内部の切抜きから成るが、一方の端６７は、前記壁の残りにつながったままである。この外形において前記断片部材はプラスチック材料から成り、このように構成された舌状の小突起６７の変形およびそれが元の状態に戻るのに必要な弾性特性が与えられている。
【００４５】
図１０Ａおよび図１０Ｂに示される別の実施態様によると、前記押しボタン６４は独立した弾性に富んだ薄板７０から成る。より詳細には、前記薄板７０はＶ字の形を呈することができ、また前記ボタン６４は二つに分けられ、この薄板７０の各自由端から成る。この場合、これらは二つの穴６４と協働するようになる。
【００４６】
好ましくは、前記薄板７０は、尖った形をした受け部品７１に取り付けられる。この形により、受け部品は断片部材の端のところで中に挿入されるようになることができる。この受け部品７１は、特に縦方向の突起７２を有しており、該突起は、前記断片部材の内側に強制的に受け部品を挿入する際に受け部品を止めるように、受け部品の外側表面に沿って突出して伸びている。さらに、前記受け部品７１の外側端の周りに突出して広がる周縁つばは、前記断片部材の中に受け部品を挿入してはめ込む際に、ストッパの役目を果たすようになることができる。
【００４７】
そのとき、柄６の長さを好きなように選択することが可能である。とりわけ寄せ集めの際に、塵およびくずを塵取り３の中に押しやるために取扱いがより容易なハンドブラシの形状を成すように、柄を完全に引っ込めることが可能である。
【００４８】
さらに、断片部材６０が断片部材のスライドの際に互いに対して回転しないようにするために、前記装置１にはガイド手段が用意される。そのような手段は、図７の断面図で可視である。
【００４９】
とりわけ、スライド式に組み立てられる第一の断片部材６１および第二の断片部材６２について、より大きな直径の前記第一の断片部材６１は、その内側表面に、凹部または突起６５の形をしたガイド手段を含むが、該凹部または突起は、前記第二の断片部材６２の外側面に設けられる突起または凹部６５と相互に協働するように、補完的に形作られるものである。図７で可視の実施態様によると、四つの凹部が、より小さい直径の断片部材６２の外側壁内に沿って直線状に設けられ、溝を形成するが、とりわけより大きい直径の前記第一の断片部材６１の内側壁に沿って伸びる突出した直線状の突起が、前記溝の内部に挿入されて、内部で縦方向にスライドするようになり、前記断片部材６１と６２の互いに対する回転を防ぐ。
【００５０】
さらに前記ガイド手段は、ただ一つにしかはめ込まれないこと、したがって互いに関連する断片部材同士のスライドを可能にするために、誤操作防止装置を構成することができる。凹部６５の場合、この特徴は、断片部材に応じて異なる数の凹部６５と同数の突起となって現れることができる。要するに、第一の断片部材は外側面に二つの凹部を有し、また、その上にスライドするようになるより大きな直径の第二の断片部材の方は、対応する二つの突起を有する。しかしながら、この第二の断片部材は、さらに大きな直径の第三の断片部材の三つの突起と協働する、三つの凹部を外側に有することができる。さらに前記凹部および突起の配置位置の角度が異なることにより、三つの凹部を有する断片部材が二つの突起しか有さない断片部材と協働することが不可能となる。このように、特に最初の組立ての際に、互いに対応しない断片部材を組み合わせることは不可能である。
【００５１】
別の特徴によると、前記把持手段１２により、使用者が前記塵取り３を取り扱うことが可能となる。さらに、該把持手段は中空の状態に用意されて、入れ子状態の前記伸縮式の柄６を収容するための空間となる。
【００５２】
そうするために、前記把持手段１２は、前記柄６のより大きな直径の断片部材の外側断面に相当するまたはそれを超える内側断面の管１３の形状を呈している。さらにこの管１３は、柄６の最も長い断片部材の長さより長いまたはそれに相当する長さを呈することができる。こうして、入れ子状態の前記柄６は、図５に可視であるように把持手段１２の内部に収容されて、塵取り３と箒２とを合体させるようになる。
【００５３】
有利には、きわめて重要な特徴は、前記ブラシ５が、前記柄６に沿って伸びている畳み込まれた状態から、前記柄６に対して垂直に伸びている広げた状態に移行するように、またその逆になるように連結されることにある。
【００５４】
そうするために、前記ブラシ５は、二つの側面翼５０の形で二つの要素に分けられる。二つの側面翼は、前記柄６の下端のところに回転軸５１の周りに四分円を描くように、連結されて取り付けられる。すなわち、畳み込まれた状態では、前記翼５０は前記柄６に対して止まるようになるが、一方広げた状態では、前記翼５０は、前記ブラシ５を連続するように形作るために、互いに同じ高さに止まるようになる。広げるための行程における止めは、図５で可視のストッパ５２によって得ることができるか、または直角のところで互いに対して止まるようになる、Ｌ字形の前記翼５０の形それ自体によって得ることができる。
【００５５】
そのうえ、図１１で示される特定の実施態様によると、各翼５はその交換のために分離されるよう、取り外し可能に用意されることができる。とりわけ、望まれた使用法に応じてさまざまなタイプのブラシを入れ替えることが可能であるが、それには床用雑巾、タオル、ウェットペーパータオル、布巾、または類似物のための固定装置が含まれる。
【００５６】
箒で掃いている途中に畳み込みまれてしまうことのないように、翼５０を広げた状態に止めて保つために、とりわけクリップ留めによってまたは取り外し可能な留めピンを介してまたは磁気による手段を用意することができることが注目されるであろう。
【００５７】
さらに、図６Ｂおよび図６Ｃで可視のように、柄６の入れこみの際に、内側の断片部材が各翼５０のストッパ５２を押すようになることができるが、これにより、図６Ｂでの矢印による理論的モデルで示されているように、四分の一回転の動きがもたらされ、前記翼５０が畳み込まれた状態に戻る。逆に、前記断片部材を引くことにより、前記翼５０を広げた状態に戻すことが可能となる。
【００５８】
好ましい実施態様によると、前記ブラシ５は、前記柄６の下部断片部材を構成する断片部材５００から成る。この断片部材５００は、前記翼５０の前記回転軸５１を収容するように、より広げられて特徴的に形作られる台座５０１を有している。前記台座５０１は、畳み込まれた状態の翼５０を収容することを可能にする二つのくりぬき部５０２も含む。
【００５９】
さらに、塵取り３の前記内側スペースは、畳み込まれた状態の前記ブラシ５を収容するように寸法が決められる。要するに、管１３の内部へ入れこんだ柄６を挿入する際、ブラシ５は、塵取り３によって設けられるスペースの中に収容されるようになる。より詳細には、前記スペースの寸法は、畳み込まれた状態のブラシ５の外形寸法よりも大きく、その結果、該ブラシははみ出すことはない。さらに、突出壁１１は各翼５０の毛８を保護するようになるが、壁１１の内側面に対する前記毛８の摩擦によって、前記塵取り３の内部に畳み込まれた前記ブラシ５を固定することにも役立つ。
【００６０】
図２から図４で可視である好ましい実施態様によると、前記装置１は、中空の平行六面体の収納箱の形をした保管手段も含むことができ、該収納箱は、その面のうちの少なくとも一つ、好ましくはその上面のところに開口部４０を備え、前記塵取り３並びに畳み込まれた状態の前記ブラシ５および前記把持手段１２の中の入れ子状態の前記柄６を挿入することによって内部で収容するように寸法が決められる空間を構成している。収納箱４はその際、毛８、塵や微粒子が常に付着したままの毛８をはみ出させることなく、より小さい外形寸法を提供することによって収納の役に立つ。
【００６１】
また追加の特徴によると、磁気手段（非表示）を、前記装置１の特定の構成要素間での固定を確保するように位置決めすることができる。とりわけ、柄６の断片部材６０、収納箱４、塵取り３、その管１３またはブラシ５の翼５０は、それらをまとめて固定することが可能になるように磁石を含むことができ、そして使用者の単純な操作、特に引くことによって、磁気によって付与されたロックの解除ができる。
【００６２】
このように、入れ子式の断片部材をもつ柄６がついた箒２と、畳み込み式の翼５０のついたブラシ５とから成る本発明は、連結されるこれらの構成要素が中に収納されることが可能となるよう寸法が決められる塵取り３と組み合されて、使用の際にはサイズ調整可能な箒を提供しながらも、収納のために最少の外形寸法を呈する装置１を確保する。
【符号の説明】
【００６３】
１  折り畳み式清掃装置
２  箒
３  塵取り
４  収納箱
５  ブラシ
６  柄
７  固定手段
８  毛
９  板
１１  突出壁
１２  把持手段
６０  断片部材
６１  第一の断片部材
６２  第二の断片筒部材
６３  穴
６４  押ボタン
【先行技術文献】
【特許文献】
【００６４】
【特許文献１】仏国特許発明第２７６０９６１号明細書
【特許文献２】米国特許第３４５０９６号明細書
【特許文献３】米国特許第５６６１８６８号明細書
【図１】
2014523308.tif 000003
【図２】
2014523308.tif 000004
【図３】
2014523308.tif 000005
【図４】
2014523308.tif 000006
【図５】
2014523308.tif 000007
【図６Ａ】
2014523308.tif 000008
【図６Ｂ】
2014523308.tif 000009
【図６Ｃ】
2014523308.tif 000010
【図７】
2014523308.tif 000011
【図８】
2014523308.tif 000012
【図９Ａ】
2014523308.tif 000013
【図９Ｂ】
2014523308.tif 000014
【図９Ｃ】
2014523308.tif 000015
【図１０Ａ】
2014523308.tif 000016
【図１０Ｂ】
2014523308.tif 000017
【図１１】
2014523308.tif 000018
【国際調査報告】
2014523308.tif 000019
2014523308.tif 000020
2014523308.tif 000021
2014523308.tif 000022
2014523308.tif 000023
2014523308.tif 000024